(57)【特許請求の範囲】
【請求項１】
電子供与性無色染料を溶解した疎水性液体を内包する発色剤マイクロカプセルにおいて、該疎水性液体がテルペン炭化水素であり、かつ該電子供与性無色染料が２−アリニノ−３―メチル−６−ジエチルアミノフルオラン、２−アリニノ−３−メチル−６−（Ｎ−シクロヘキシル−Ｎ−メチルアミノ）フルオラン、２−アリニノ−３−メチル−６−（Ｎ−エチル−Ｎ−p−トルイルアミノ）フルオラン、２−ジベンジルアミノ−６−ジエチルアミノフルオラン、２−ジベンジルアミノ−６−（１−ピロリジニル）フルオラン、２−（２，６−ジメチルアリニノ）−３−メチル−６−ジエチルアミノフルオラン、２−アリニノ−３−メチル−６−（Ｎ−エチルーＮ―イソペンチルアミノ）フルオランであることを特徴とする感圧複写紙用発色剤マイクロカプセル。
【請求項２】
該テルペン炭化水素がＲ（＋）−および／またはＳ（−）−リモネンである請求項１記載の感圧複写紙用発色剤マイクロカプセル。
【請求項３】
請求項１または２記載の発色剤マイクロカプセルを使用した感圧複写紙。
【発明の詳細な説明】
【０００１】
【発明の属する技術分野】
本発明は発色剤マイクロカプセルに関し、特に環境に配慮した感圧複写紙用の発色剤マイクロカプセルに関するものである。
【０００２】
【従来の技術】
感圧複写紙は、電子供与性の殆ど無色の有機化合物（以下発色剤という）等を溶解した疎水性液体を内包するマイクロカプセルを主成分とする発色剤マイクロカプセル組成物を基紙の片面に塗工した上用紙と、基紙の片面に前記発色剤と接触したときに呈色する電子受容性化合物（以下顕色剤という）を主成分とする顕色剤組成物を塗工し、かつもう一方の面に発色剤マイクロカプセル組成物を塗工した中用紙と、基紙の片面に顕色剤組成物を塗工した下用紙からなる。一般に上用紙−下用紙あるいは上用紙−中用紙−下用紙の順に、発色剤マイクロカプセル組成物塗工面と顕色剤組成物塗工面とが接するように組み合わせて使用され、筆圧、プリンター等の圧力によりマイクロカプセルが破壊され、発色剤を溶解した疎水性液体が顕色剤層に転移し、顕色剤と反応することによって発色するようになっている。また、基紙の同一面に発色剤マイクロカプセルと顕色剤とを塗工し、１枚で感圧記録可能とした自己発色型感圧複写紙もその一形態として知られている。
【０００３】
このような発色剤マイクロカプセルには、通常電子供与性無色染料を溶解するために疎水性液体として、アルキル化ビフェニル、アルキル化ターフェニル、アルキル化ナフタレン、ジアリールアルカン、塩素化パラフィン等の合成油または半合成油が使用されている。これらの溶媒はいずれも若干の不快臭を有しており、環境への配慮という点においても好ましいとはいえなかった。これに対し、特開平７−８１２１７号公報では、環境対策としてこのような溶媒にオレイン酸を含有する植物油を使用することを提案しているが、一般に植物油は電子供与性無色染料に対する溶解力が小さいため、インドリルフタリド化合物又はインドリルアザフタリド化合物の特定の染料を使う必要があった。
【０００４】
【発明が解決しようとする課題】
本発明は、一般的な染料の使用が可能でかつ環境に配慮した発色剤マイクロカプセルを提供することを目的とする。
【０００５】
【課題を解決するための手段】
本発明者等は、上記課題を鋭意検討の結果、従来のカプセル用疎水性液体の替わりに植物精油の主成分であるテルペン炭化水素を使用することにより、極めて環境に配慮したマイクロカプセルを得ることが可能であることを見出し本発明に到達した。即ち、本発明は、電子供与性無色染料を溶解した疎水性液体を内包する発色剤マイクロカプセルにおいて、該疎水性液体がテルペン炭化水素であることを特徴とする発色剤マイクロカプセルに関するものである。
【０００６】
【発明の実施の形態】
テルペン炭化水素は、植物の精油成分中の（Ｃ５Ｈ８）ｎの分子式を有する炭化水素である。植物精油とは、植物の枝葉、根茎、木皮、果実、つぼみ、樹脂などにより発散するにおいの根源であり揮発性を有する。水蒸気蒸留によって留出することができ、概ね液状で水より軽い性質をもっており、通常植物油とは区別される。学術的にいうと植物油とは植物油脂のことであり、特に常温で液体のものを植物油という。植物油は化学的には脂肪酸とグリセリンとのトリグリセリルエステルいわゆるトリグリセリドであり、本発明のテルペン炭化水素とはその化学構造においても、またその概念においても範疇を全く異にしている。
【０００７】
本発明においては、マイクロカプセル中の疎水性液体としてテルペン炭化水素を用いる。テルペン炭化水素のうち液体のものは、モノテルペン、セスキテルペン、ジテルペンの一部であり、本発明で使用することができる。モノテルペンには、ミルセン、カレン、オシメン、ピネン、リモネン、カンフェン、テルピノレン、トリシクレン、テルピネン、フェンチェン、フェランドレン、シルベストレン、サビネンがある。セスキテルペンには、ビサボレン、サンタレン、ジンギベレン、カリオフィレン、クルクメン、セドレン、カジネン、ロンギホレン、セスキベニヘンがある。ジテルペンのうち液体のものとして、カンホレン、およびβ−ポドカルプレンが挙げられる。
【０００８】
テルペン炭化水素のなかでも特に、疎水性液体として用いた際の諸性能や工業的なコストパフォーマンスに優れているものとしてリモネンが挙げられる。リモネンには、旋光性を有する光学活性なＲ−およびＳ−体、更にＲ−、Ｓ−の通常１：１の混合物である旋光性を示さないいわゆるジペンテンがあるが、いずれをも使用することができる。Ｒ−リモネンは、オレンジ油、レモン油、マンダリン油、ライム油、カラウェー油、ウイキョウ油等、またＳ−リモネンは、マツ属針葉油、ハッカ油、スペアミント油、カヤプト油等、更にＲ−、Ｓ−混合物は、テレビン油、レモングラス油、シトロネラ油、カルダモン油、ショウノウ油等いずれも広く植物界に存在する。
【０００９】
本発明で使用することができる電子供与性無色染料は、例えば、２−アリニノ−３―メチル−６−ジエチルアミノフルオラン、２−アリニノ−３−メチル−６−（Ｎ−シクロヘキシル−Ｎ−メチルアミノ）フルオラン、２−アリニノ−３−メチル−６−（Ｎ−エチル−Ｎ−p−トルイルアミノ）フルオラン、２−ジベンジルアミノ−６−ジエチルアミノフルオラン、２−ジベンジルアミノ−６−（１−ピロリジニル）フルオラン、２−（２，６−ジメチルアリニノ）−３−メチル−６−ジエチルアミノフルオラン、２−アリニノ−３−メチル−６−（Ｎ−エチルーＮ―イソペンチルアミノ）フルオランのフルオラン系の有機化合物が挙げられる。フルオラン系の無色染料は溶解度の点で優れており、特に黒発色用染料として少なくとも２−位および６−位がアミノ基で置換されているフルオラン骨格を有するものが溶解度的にも好ましい。
【００１０】
また、この疎水性液体には無色染料の他、油溶性の助剤等を必要に応じて添加することができる。マイクロカプセル化法としては、従来公知の方法で行えばよく、例えばコアセルベーション法、界面重合法、ｉｎ−ｓｉｔｕ法を挙げることができる。カプセルの膜材としては、ゼラチン、ポリウレタン、メラミン・ホルムアルデヒド、尿素・ホルムアルデヒド等がある。本発明の発色剤マイクロカプセルを使用した感圧複写紙もまた、特に制限されず通常の方法に従って製造することができる。
【００１１】
【実施例】
以下、本発明を実施例によって更に詳述するが、本発明はこれによって限定されるものではない。また、特に断らない限り、以下に記載する部及び％は、それぞれ重量部及び重量％を示す。尚、実施例及び比較例で行った評価の基準は次の通りである。
【００１２】
〔発色性〕
上用紙と下用紙とを組合せ、１００ｋｇ／ｃｍ２の圧力でカレンダー処理して発色させ、２４時間後の発色濃度をマクベス反射濃度計ＲＤ−９１８で９点測定し、その平均値を表１に示した。
【００１３】
［実施例１］
〔カプセルスラリーの調製〕
２−アニリノ−３−メチル−６−（Ｎ−エチル−Ｎ−イソペンチルアミノ）フルオラン５部をＲ−リモネン９５部に溶解した。一方、アクリル系共重合体の乳化剤の５％水溶液１６０部に尿素１０部、レゾルシン１部を添加し攪拌溶解した。この水溶液に上記染料溶液１００部を加え激しく攪拌し乳化し、油滴の平均粒径５μのＯ／Ｗタイプエマルションを得た。この乳化液に、３７％ホルムアルデヒド水溶液２２部を攪拌下添加した後、系の温度を５５℃に加熱し、攪拌下２時間この温度を保持した。その後室温に戻し、カプセルスラリーを得、３０％の固形分濃度に調整した。
【００１４】
〔カプセル層塗料の調製〕
水２００部に澱粉粒３５部、カプセルスラリー４００部、１０％ポリビニルアルコール１８０部を順次攪拌しながら混合し、水を加えて最終濃度を１８％とした。
【００１５】
〔顕色層塗料の調製〕
３，５−ジ（α−メチルベンジル）サリチル酸亜鉛をサンドグラインダーにより均一分散して平均粒径２μの２０％分散液を得た。更に、この分散液５０部に、軽質炭酸カルシウムの５０％分散液２００部、水１００部を添加分散し、次いでポリビニルアルコールの１０％水溶液６０部、４０％スチレン−ブタジエン系ラテックス３０部を添加後、水を加えて最終的に２５％の濃度とした。
【００１６】
〔感圧複写紙の作成〕
坪量４０ｇ／ｍ２の上質紙のワイヤー面に、カプセル層塗料を固形分４ｇ／ｍ２をエアナイフコータで塗工し、感圧複写紙の上用紙を作成した。一方、同上質紙のフェルト面に顕色層塗料を固形分６ｇ／ｍ２をバーコータで塗工し、感圧複写紙の下用紙を作成した。
【００１７】
［実施例２］
Ｒ−リモネンの替わりにＳ−リモネンを使用すること以外は、実施例１と全く同様にしてカプセルスラリーを調製した後、感圧複写紙の上用紙を作成した。
【００１８】
［実施例３］
Ｒ−リモネンの替わりにＲ−、Ｓ−リモネンの混合物（１：１混合物）を使用すること以外は、実施例１と全く同様にしてカプセルスラリーを調製した後、感圧複写紙の上用紙を作成した。
【００１９】
［参考例］
Ｒ−リモネンの替わりにジイソプロピルナフタレンを用いること以外は、実施例１と全く同様にしてカプセルスラリーを調製した後、感圧複写紙の上用紙を作成した。
【００２０】
【表１】
表１
0003611090.tif 000002
【００２１】
【発明の効果】
疎水性溶媒としてテルペン炭化水素を使用した本発明の発色剤マイクロカプセルは、主に感圧複写紙用の発色剤マイクロカプセルに適し、従来の疎水性液体を使用した場合と比べても同等で十分な発色性能が得られるとともに、テルペン炭化水素は植物の精油成分であるため環境面でも優れており、実用的価値が大きいといえる。